(57)【要約】【課題】粘着層が接着成分を多く含まないオイルゲルであって、長時間粘着後であっても、剥離に際して皮膚の表面細胞を傷付けるおそれがないフェイスペイント用シールを提供することを課題とする。【解決手段】表面に適宜色模様を印刷したシート材１の裏面に、共役ジエンと芳香族炭化水素から成るトリブロック共重合体にオイルを配合してゲル化したオイルゲルを塗布したオイルゲル層２を形成し、その上に剥離紙３を被装して成る。このフェイスペイント用シールの場合は、粘着層が接着成分（タッキファイヤー）を含まないオイルゲルであるため、長時間粘着したとしても、その後の剥離時に皮膚の表面細胞を傷付けるおそれがない。【選択図】図１
2005348974.tif 000002
【特許請求の範囲】
【請求項１】
表面に適宜色模様を印刷したシート材の裏面に、共役ジエンと芳香族炭化水素から成るトリブロック共重合体にオイルを配合してゲル化したオイルゲルを塗布し、その上に剥離紙を被装して成るフェイスペイント用シール。
【請求項２】
前記オイルは、ミネラルオイル又はスクアランである請求項１に記載のフェイスペイント用シール。
【請求項３】
ビタミンＡ、ビタミンＣ、ビタミンＥの内の１又は複数を配合した請求項１に記載のフェイスペイント用シール。
【発明の詳細な説明】
【技術分野】
【０００１】
本発明はフェイスペイント用シール、より詳細には、サッカー、野球等の観戦時や仮装パーティ参加時等に顔面に貼着して楽しむフェイスペイント用シールに関するものである。
【背景技術】
【０００２】
サッカーを初めとするスポーツ観戦に際し、応援する国やチームを表わす色模様を、顔面や腕等に施すことが行われている。これは一般にフェイスペイントと称されるもので、筆で顔料を塗る方法が採られているが、そのようなペイント法の場合には手間がかかり、洗い落とすにも手間と時間がかかる。
【０００３】
そこで最近では、より手軽にフェイスペイントができるように、上記色模様を印刷したシールを作り、裏に粘着剤が塗布され、その上に剥離紙を被装したものが登場している。これは、剥離紙を除去して額その他の所望個所に当てがい、粘着層を介して粘着し、使用後は額等の粘着部から引き剥がすものである。
【０００４】
このフェイスペイント用シールの場合、直接顔面等に粘着されるところから、粘着層には医療用粘着剤（例えば、精製された天然ゴム系接着剤、モノマー成分を除いたアクリル系合成接着剤等）が用いられる。
【０００５】
【特許文献１】特開平７−６７９１２号公報
【特許文献２】実用新案登録第３０６４９３９号公報
【０００６】
上記従来のフェイスペイント用シールにおいては、肌に影響を与えないように医療用粘着剤が用いられてはいるが、それは水溶性ゲルであって接着成分（タッキファイヤー）が多量に配合されている。そのため、皮膚からの剥離時に、表面細胞（角質細胞）が剥離されて傷付けられるおそれがある（後述の図１（Ｂ）参照）。
【発明の開示】
【発明が解決しようとする課題】
【０００７】
上述したように従来のフェイスペイント用シールの場合は、粘着層に粘着成分が多く含まれているため、剥離する際に皮膚の表面細胞を傷付けるおそれがあった。
【０００８】
そこで本発明は、粘着層が接着成分を多く含まないオイルゲルであって、長時間粘着後であっても、剥離に際して皮膚の表面細胞を傷付けるおそれがないフェイスペイント用シールを提供することを課題とする。
【課題を解決するための手段】
【０００９】
本発明は、表面に適宜色模様を印刷したシート材の裏面に、共役ジエンと芳香族炭化水素から成るトリブロック共重合体にオイルを配合してゲル化したオイルゲルを塗布したオイルゲル層を形成し、その上に剥離紙を被装して成るフェイスペイント用シール、を以て上記課題を解決した。
【発明の効果】
【００１０】
本発明に係るフェイスペイント用シールの場合は、粘着層が接着成分（タッキファイヤー）を含まないオイルゲルであるため、長時間粘着したとしても、その後の剥離時に皮膚の表面細胞を傷付けるおそれがないという効果がある。
【発明を実施するための最良の形態】
【００１１】
本発明を実施するための最良の形態について説明する。本発明に係るフェイスペイントシールは、表面に適宜色模様を印刷したシート材１の裏面に、共役ジエンと芳香族炭化水素から成るトリブロック共重合体にオイルを配合してゲル化したオイルゲルを塗布したオイルゲル層２を形成し、その上に剥離紙３を被装して成る。
【００１２】
シート材１は不織布やプラスチックシート等で、その表面に、適宜色模様を印刷する。その色模様は、サッカー用であれば、チームのシンボルカラーやエンブレム、あるいは、国旗等である。図２に示す例では、日の丸が表示されている。
【００１３】
オイルゲルは多量の油性液体と疎水性高分子とが相溶状態となっており、また、高分子は架橋してゲル化している基剤であるため、油溶性有効成分を高濃度配合（例えば、５％以上）できる状態となっている。
【００１４】
オイルゲルには大体の種類のオイル成分を配合することができ、例えば、ミネラルオイル、スクアラン等が好適である。但し、代表的な植物油であるオリーブ油やサンフラワー油等の飽和又は不飽和脂肪酸の組成を持つ油は、少量（例えば１％未満）であればよいが、多量の場合はオイルゲルの粘着力低下を招いたり、経時的に不織布に油が染みてきたりするので、本発明において用いることは好ましくない。また、オイルゲルであるため、水溶性物質の多量配合も避けなければならない。
【００１５】
オイルゲルには上記オイル成分の外に、ビタミンＡ、ビタミンＣ、ビタミンＥ等を適宜配合することもできる。
【００１６】
上記オイルゲルの粘着層は、多量のオイル成分を含むため、皮膚に対してソフト感としっとり感とを与え、皮膚刺激性はほとんどない。このオイルゲル粘着層は非常に軟かく、皮膚の凹凸の隅々にまでよく接着するが、一般的水溶性ゲルの貼付剤のように接着成分（タッキファイヤー）が含まれていないので、剥離時に皮膚の表面細胞を傷付けるおそれがない。
【００１７】
図３は、オイルゲル粘着層のパッチ（図３（Ａ））と、一般的な水溶性ゲル粘着層のパッチ（図３（Ｂ））の剥離後の角質細胞の状態を示す顕微鏡写真である。これから明らかなように、本願発明に係るオイルゲルの粘着層の場合には、角質細胞が荒らされない。
【００１８】
本発明に係るフェイスペイント用シールは、使用に際して剥離紙３を取り除き、顔面等の所望の個所に、オイルゲル層２を押し付けることによって定着し、使用後は剥取する。
【００１９】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２０】
【図１】本発明に係るフェイスペイント用シールの構成を示す図である。
【図２】本発明に係るフェイスペイント用シールの使用例を示す図である。
【図３】本発明におけるオイルゲル粘着層のパッチと一般的な水溶性ゲル接着層のパッチの剥離後における角質細胞の状態を示す顕微鏡写真である。
【符号の説明】
【００２１】
１    シート材
２    オイルゲル層
３    剥離紙
【図１】
2005348974.tif 000003
【図２】
2005348974.tif 000004
【図３】
2005348974.tif 000005